【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】
現在位置を検出する現在位置検出手段と、地図画像を現在位置マークとともに表示する表示手段と、地図データを記憶した地図データ記憶手段と、地図データ記憶手段に記憶された地図データを用いて、現在位置を含む一定範囲の地図画像を現在位置マークとともに描画し、表示手段に表示させる地図表示制御手段と、を備えた地図表示装置において、ユーザが道路種別毎に、道路を表示する線幅または色の設定操作をする道路表示条件設定操作手段と、道路表示条件設定操作手段で設定された道路種別毎の道路を表示する線幅または色の条件を記憶する道路表示条件記憶手段と、を備え、
地図表示制御手段は、地図データ中の道路の画像を描画する際、道路表示条件記憶手段に記憶された道路種別毎の道路表示条件に従い描画するようにしたこと、を特徴とする地図表示装置。
【請求項２】
地図画像の縮尺の切り換え操作をする縮尺切り換え操作手段を有し、ユーザが設定できる道路表示条件は道路種別かつ縮尺別の道路を表示する線幅または色とし、地図表示制御手段は、地図データ中の道路の画像を描画する際、道路表示条件記憶手段に記憶された内、現在の縮尺に対応する道路表示条件に従い描画するようにしたこと、を特徴とする請求項１記載の地図表示装置。
【請求項３】
ユーザが設定できる道路表示条件は道路種別かつ時間帯別の道路を表示する線幅または色とし、地図表示制御手段は、地図データ中の道路の画像を描画する際、道路表示条件記憶手段に記憶された内、現在の時間帯に対応する道路表示条件に従い描画するようにしたこと、を特徴とする請求項１記載の地図表示装置。
【請求項４】
現在位置を検出する現在位置検出手段と、地図画像を現在位置マークとともに表示する表示手段と、地図データを記憶した地図データ記憶手段と、地図データ記憶手段に記憶された地図データを用いて、現在位置を含む一定範囲の地図画像を現在位置マークとともに描画し、表示手段に表示させる地図表示制御手段と、を備えた地図表示装置において、
ユーザが道路種別毎に、道路を表示する線幅または色の設定操作をする道路表示条件設定操作手段と、道路表示条件設定操作手段で設定された道路種別毎の道路を表示する線幅または色の条件を記憶する道路表示条件記憶手段と、道路表示をユーザ設定条件に従い行うマニュアルモードと、道路表示を地図データ中で定義された条件に従い行うノーマルモードとに切り換え操作をする道路表示モード切り換え操作手段と、を備え、
地図表示制御手段は、地図データ中の道路の画像を描画する際、道路表示モードがノーマルモードに切り換えられたときは、地図データ中で定義された道路種別毎の道路表示条件に従い描画し、道路表示モードがマニュアルモードに切り換えられたときは、道路表示条件記憶手段に記憶された道路種別毎の道路表示条件に従い描画するようにしたこと、を特徴とする地図表示装置。
【請求項５】
地図画像の縮尺の切り換え操作をする縮尺切り換え操作手段を有し、ユーザが設定できる道路表示条件は道路種別かつ縮尺別の道路を表示する線幅または色とし、地図表示制御手段は、道路表示モードがマニュアルモード下で地図データ中の道路の画像を描画する際、道路表示条件記憶手段に記憶された内、現在の縮尺に対応する道路表示条件に従い描画するようにしたこと、を特徴とする請求項４記載の地図表示装置。
【請求項６】
ユーザが設定できる道路表示条件は道路種別かつ時間帯別の道路を表示する線幅または色とし、地図表示制御手段は、道路表示モードがマニュアルモード下で地図データ中の道路の画像を描画する際、道路表示条件記憶手段に記憶された内、現在の時間帯に対応する道路表示条件に従い描画するようにしたこと、を特徴とする請求項４記載の地図表示装置。
【請求項７】
現在位置を検出する現在位置検出手段と、地図画像を現在位置マークとともに表示する表示手段と、地図データを記憶した地図データ記憶手段と、地図データ記憶手段に記憶された地図データを用いて、現在位置を含む一定範囲の地図画像を現在位置マークとともに描画し、表示手段に表示させる地図表示制御手段と、を備えた地図表示装置において、道路種別毎に道路を表示する線幅または色の装置固有の条件を記憶した道路表示条件記憶手段を備え、
地図表示制御手段は、地図データ中の道路の画像を描画する際、道路表示条件記憶手段に記憶された道路表示条件に従い描画するようにしたこと、を特徴とする地図表示装置。
【請求項８】
地図画像の縮尺の切り換え操作をする縮尺切り換え操作手段を有し、道路表示条件記憶手段に記憶された装置固有の道路表示条件は、道路種別かつ縮尺別の道路を表示する線幅または色とし、地図表示制御手段は、地図データ中の道路の画像を描画する際、道路表示条件記憶手段に記憶された内、現在の縮尺に対応する条件に従い描画するようにしたこと、を特徴とする請求項７記載の地図表示装置。
【請求項９】
道路表示条件記憶手段に記憶された装置固有の道路表示条件は、道路種別かつ時間帯別の道路を表示する線幅または色とし、地図表示制御手段は、地図データ中の道路の画像を描画する際、道路表示条件記憶手段に記憶された内、現在の
時間帯に対応する道路表示条件に従い描画するようにしたこと、を特徴とする請求項７記載の地図表示装置。
【請求項１０】
現在位置を検出する現在位置検出手段と、地図画像を現在位置マークとともに表示する表示手段と、地図データを記憶した地図データ記憶手段と、地図データ記憶手段に記憶された地図データを用いて、現在位置を含む一定範囲の地図画像を現在位置マークとともに描画し、表示手段に表示させる地図表示制御手段
と、を備えた地図表示装置において、
道路種別毎に道路を表示する線幅または色の装置固有の条件を記憶した道路表示条件記憶手段と、道路表示を装置固有条件に従い行う装置固有モードと、道路表示を地図データ中で定義された道路表示条件に従い行うノーマルモードとに切り換え操作をする道路表示モード切り換え操作手段と、を備え、
地図表示制御手段は、地図データ中の道路の画像を描画する際、道路表示モードがノーマルモードに切り換えられたときは、地図データ中で定義された道路種別毎の道路表示条件に従い描画し、道路表示モードが装置固有モードに切り換えられたときは、道路表示条件記憶手段に記憶された道路種別毎の道路表示条件に従い描画するようにしたこと、を特徴とする地図表示装置。
【請求項１１】
地図画像の縮尺の切り換え操作をする縮尺切り換え操作手段を有し、道路表示条件記憶手段に記憶された装置固有の道路表示条件は、道路種別かつ縮尺別の道路を表示する線幅または色とし、地図表示制御手段は、装置固有モード下で地図データ中の道路の画像を描画する際、道路表示条件記憶手段に記憶された内、現在の縮尺に対応する道路表示条件に従い描画するようにしたこと、を特徴とする請求項１０記載の地図表示装置。
【請求項１２】
道路表示条件記憶手段に記憶された装置固有の道路表示条件は、道路種別かつ時間帯別の道路を表示する線幅または色とし、地図表示制御手段は、装置固有モード下で地図データ中の道路の画像を描画する際、道路表示条件記憶手段に記憶された内、現在の時間帯に対応する道路表示条件に従い描画するようにしたこと、を特徴とする請求項１０記載の地図表示装置。
【請求項１３】
現在位置を検出する現在位置検出手段と、地図画像を現在位置マークとともに表示する表示手段と、地図データを記憶可能な地図データ記憶手段と、現在位置近くの地図データをネットワーク経由で地図表示支援装置に要求し、該地図表示支援装置から送信された地図データを受信し、地図データ記憶手段に記憶させる地図データ取得手段と、地図データ記憶手段に記憶された地図データを用いて、現在位置を含む一定範囲の地図画像を現在位置マークとともに描画し、表示手段に表示させる地図表示制御手段と、を備えた地図表示装置において、
ユーザが道路種別毎に、道路を表示する線幅または色の設定操作をする道路表示条件設定操作手段と、道路表示条件設定操作手段で設定された道路種別毎の道路を表示する線幅または色の条件を記憶する道路表示条件記憶手段と、を備え、
地図表示制御手段は、地図データ中の道路の画像を描画する際、道路表示条件記憶手段に記憶された道路表示条件に従い描画するようにしたこと、を特徴とする地図表示装置。
【請求項１４】
地図画像の縮尺の切り換え操作をする縮尺切り換え操作手段を有し、ユーザが設定可能な道路表示条件は道路種別かつ縮尺別の道路を表示する線幅または色とし、地図表示制御手段は、地図データ中の道路の画像を描画する際、道路表示条件記憶手段に記憶された内、現在の縮尺に対応する道路表示条件に従い描画するようにしたこと、を特徴とする請求項１３記載の地図表示装置。
【請求項１５】
ユーザが設定可能な道路表示条件は道路種別かつ時間帯別の道路を表示する線幅または色とし、地図表示制御手段は、地図データ中の道路の画像を描画する際、道路表示条件記憶手段に記憶された内、現在の時間帯に対応する道路表示条件に従い描画するようにしたこと、を特徴とする請求項１３記載の地図表示装置。
【請求項１６】
現在位置を検出する現在位置検出手段と、地図画像を現在位置マークとともに表示する表示手段と、地図データを記憶可能な地図データ記憶手段と、現在位置近くの地図データをネットワーク経由で地図表示支援装置に要求し、該地図表示支援装置から送信された地図データを受信し、地図データ記憶手段に記憶させる地図データ取得手段と、地図データ記憶手段に記憶された地図データを用いて、現在位置を含む一定範囲の地図画像を現在位置マークとともに描画し、表示手段に表示させる地図表示制御手段と、を備えた地図表示装置において、
ユーザが道路種別毎に、道路を表示する線幅または色の設定操作をする道路表示条件設定操作手段と、道路表示条件設定操作手段で設定された道路種別毎の道路を表示する線幅または色の条件を記憶する道路表示条件記憶手段と、道路表示をユーザ設定条件に従い行うマニュアルモードと、道路表示を地図データ中で定義された条件に従い行うノーマルモードとに切り換え操作をする道路表示モード切り換え操作手段と、を備え、
地図表示制御手段は、地図データ中の道路の画像を描画する際、道路表示モードがノーマルモードに切り換えられたときは、地図データ中で定義された道路種別毎の道路表示条件に従い描画し、道路表示モードがマニュアルモードに切り換えられたときは、道路表示条件記憶手段に記憶された道路種別毎の道路表示条件に従い描画するようにしたこと、を特徴とする地図表示装置。
【請求項１７】
地図画像の縮尺の切り換え操作をする縮尺切り換え操作手段を有し、ユーザが設定できる道路表示条件は道路種別かつ縮尺別の道路を表示する線幅または色とし、地図表示制御手段は、道路表示モードがマニュアルモード下で地図データ中の道路の画像を描画する際、道路表示条件記憶手段に記憶された内、現在の縮尺に対応する道路表示条件に従い描画するようにしたこと、を特徴とする請求項１６記載の地図表示装置。
【請求項１８】
ユーザが設定できる道路表示条件は道路種別かつ時間帯別の道路を表示する線幅または色とし、地図表示制御手段は、道路表示モードがマニュアルモード下で地図データ中の道路の画像を描画する際、道路表示条件記憶手段に記憶された内、現在の時間帯に対応する道路表示条件に従い描画するようにしたこと、を特徴とする請求項１６記載の地図表示装置。
【請求項１９】
現在位置を検出する現在位置検出手段と、地図画像を現在位置マークとともに表示する表示手段と、地図データを記憶可能な地図データ記憶手段と、現在位置近くの地図データをネットワーク経由で地図表示支援装置に要求し、該地図表示支援装置から送信された地図データを受信し、地図データ記憶手段に記憶させる地図データ取得手段と、地図データ記憶手段に記憶された地図データを用いて、現在位置を含む一定範囲の地図画像を現在位置マークとともに描画し、表示手段に表示させる地図表示制御手段と、を備えた地図表示装置において、
道路種別毎に道路を表示する線幅または色の装置固有の道路表示条件を記憶した道路表示条件記憶手段を備え、地図表示制御手段は、地図データ中の道路の画像を描画する際、道路表示条件記憶手段に記憶された道路表示条件に従い描画するようにしたこと、を特徴とする地図表示装置。
【請求項２０】
地図画像の縮尺の切り換え操作をする縮尺切り換え操作段を有し、道路表示条件記憶手段に記憶された装置固有の道路表示条件は、道路種別かつ縮尺別の道路を表示する線幅または色とし、地図表示制御手段は、地図データ中の道路の画像を描画する際、道路表示条件記憶手段に記憶された内、現在の縮尺に対応する道路表示条件に従い描画するようにしたこと、を特徴とする請求項１９記載の地図表示装置。
【請求項２１】
道路表示条件記憶手段に記憶された装置固有の道路表示条件は、道路種別かつ時間帯別の道路を表示する線幅または色とし、地図表示制御手段は、地図データ中の道路の画像を描画する際、道路表示条件記憶手段に記憶された内、現在の時間帯に対応する道路表示条件に従い描画するようにしたこと、を特徴とする請求項１９記載の地図表示装置。
【請求項２２】
現在位置を検出する現在位置検出手段と、地図画像を現在位置マークとともに表示する表示手段と、地図データを記憶可能な地図データ記憶手段と、現在位置近くの地図データをネットワーク経由で地図表示支援装置に要求し、該地図表示支援装置から送信された地図データを受信し、地図データ記憶手段に記憶させ
る地図データ取得手段と、地図データ記憶手段に記憶された地図データを用いて、現在位置を含む一定範囲の地図画像を現在位置マークとともに描画し、表示手段に表示させる地図表示制御手段と、を備えた地図表示装置において、
道路種別毎に道路を表示する線幅または色の装置固有の条件を記憶した道路表示条件記憶手段と、道路表示を装置固有条件に従い行う装置固有モードと、道路表示を地図データ中で定義された道路表示条件に従い行うノーマルモードとに切り換え操作をする道路表示モード切り換え操作手段と、を備え、
地図表示制御手段は、地図データ中の道路の画像を描画する際、道路表示モードがノーマルモードに切り換えられたときは、地図データ中で定義された道路種別毎の道路表示条件に従い描画し、道路表示モードが装置固有モードに切り換えられたときは、道路表示条件記憶手段に記憶された道路種別毎の道路表示条件に従い描画するようにしたこと、を特徴とする地図表示装置。
【請求項２３】
地図画像の縮尺の切り換え操作をする縮尺切り換え操作手段を有し、道路表示条件記憶手段に記憶された装置固有の道路表示条件は、道路種別かつ縮尺別の道路を表示する線幅または色とし、地図表示制御手段は、道路表示モードがマニュアルモード下で地図データ中の道路の画像を描画する際、道路表示条件記憶手段に記憶された内、現在の縮尺に対応する道路表示条件に従い描画するようにしたこと、を特徴とする請求項２２記載の地図表示装置。
【請求項２４】
道路表示条件記憶手段に記憶された装置固有の道路表示条件は、道路種別かつ時間帯別の道路を表示する線幅または色とし、地図表示制御手段は、道路表示モードがマニュアルモード下で地図データ中の道路の画像を描画する際、道路表示条件記憶手段に記憶された内、現在の時間帯に対応する道路表示条件に従い描画するようにしたこと、を特徴とする請求項２２記載の地図表示装置。
【手続補正２】
【補正対象書類名】明細書
【補正対象項目名】０００５
【補正方法】変更
【補正の内容】
【０００５】
【課題を解決するための手段】
本発明の請求項１記載の地図表示装置では、現在位置を検出する現在位置検出手段と、地図画像を現在位置マークとともに表示する表示手段と、地図データを記憶した地図データ記憶手段と、地図データ記憶手段に記憶された地図データを用いて、現在位置を含む一定範囲の地図画像を現在位置マークとともに描画し、表示手段に表示させる地図表示制御手段と、を備えた地図表示装置において、ユーザが道路種毎別に、道路を表示する線幅または色の設定操作をする道路表示条件設定操作手段と、道路表示条件設定操作手段で設定された道路種別の道路を表示する線幅または色の条件を記憶する道路表示条件記憶手段と、を備え、地図表示制御手段は、地図データ中の道路の画像を描画する際、道路表示条件記憶手段に記憶された道路種別毎の道路表示条件に従い描画するようにしたこと、を特徴としている。
請求項１において、地図画像の縮尺の切り換え操作をする縮尺切り換え操作手段を備え、ユーザが設定できる道路表示条件は道路種別かつ縮尺別の道路を表示する線幅または色とし、地図表示制御手段は、地図データ中の道路の画像を描画する際、道路表示条件記憶手段に記憶された内、現在の縮尺に対応する道路表示条件に従い描画するようにしても良い。また、ユーザが設定できる道路表示条件は道路種別かつ時間帯別の道路を表示する線幅または色とし、地図表示制御手段は、地図データ中の道路の画像を描画する際、道路表示条件記憶手段に記憶された内、現在の時間帯に対応する道路表示条件に従い描画するようにしても良い。
また、請求項１〜３において、道路表示条件設定操作手段ではユーザが道路種別毎に、道路を表示する線幅と色の設定操作をし、該設定された道路種別毎の道路を表示する線幅と色の道路表示条件が道路表示条件記憶手段に記憶されるようにしても良い。
本発明の請求項４では、ユーザが道路種別毎に、道路を表示する線幅または色の設定操作をする道路表示条件設定操作手段と、道路表示条件設定操作手段で設定された道路種別毎の道路を表示する線幅または色の条件を記憶する道路表示条件記憶手段と、道路表示をユーザ設定条件に従い行うマニュアルモードと、道路表示を地図データ中で定義された条件に従い行うノーマルモードとに切り換え操作をする道路表示モード切り換え操作手段と、を備え、地図表示制御手段は、地図データ中の道路の画像を描画する際、道路表示モードがノーマルモードに切り換えられたときは、地図データ中で定義された道路種別毎の道路表示条件に従い描画し、道路表示モードがマニュアルモードに切り換えられたときは、道路表示条件記憶手段に記憶された道路種別の表示条件に従い描画するようにしたこと、を特徴としている。
請求項４において、地図画像の縮尺の切り換え操作をする縮尺切り換え操作手段を備え、ユーザが設定できる道路表示条件は道路種別かつ縮尺別の道路を表示する線幅または色とし、地図表示制御手段は、道路表示モードがマニュアルモード下で地図データ中の道路の画像を描画する際、道路表示条件記憶手段に記憶された内、現在の縮尺に対応する道路表示条件に従い描画するようにしても良い。また、ユーザが設定できる道路表示条件は道路種別かつ時間帯別の道路を表示する線幅または色とし、地図表示制御手段は、道路表示モードがマニュアルモード下で地図データ中の道路の画像を描画する際、道路表示条件記憶手段に記憶された内、現在の時間帯に対応する道路表示条件に従い描画するようにしても良い。
また、請求項４〜６において、道路表示条件設定操作手段ではユーザが道路種別に、道路を表示する線幅と色の設定操作をし、該設定された道路種別毎の道路を表示する線幅と色の条件が道路表示条件記憶手段に記憶されるようにしても良い。
本発明の請求項７では、道路種別毎に道路を表示する線幅または色の装置固有の条件を記憶した道路表示条件記憶手段を備え、地図表示制御手段は、地図データ中の道路の画像を描画する際、道路表示条件記憶手段に記憶された道路表示条件に従い描画するようにしたこと、を特徴としている。
請求項７において、地図画像の縮尺の切り換え操作をする縮尺切り換え操作手段を備え、道路表示条件記憶手段に記憶された装置固有の道路表示条件は、道路種別かつ縮尺別の道路を表示する線幅または色とし、地図表示制御手段は、地図データ中の道路の画像を描画する際、道路表示条件記憶手段に記憶された内、現在の縮尺に対応する道路表示条件に従い描画するようにしても良い。また、道路表示条件記憶手段に記憶された装置固有の道路表示条件は、道路種別かつ時間帯別の道路を表示する線幅または色とし、地図表示制御手段は、地図データ中の道路の画像を描画する際、道路表示条件記憶手段に記憶された内、現在の時間帯に対応する道路表示条件に従い描画するようにしても良い。
また、請求項７〜９において、道路表示条件記憶手段には道路種別毎に道路を表示する線幅と色の装置固有の条件を記憶させておくようにしても良い。
本発明の請求項１０では、道路種別毎に道路を表示する線幅または色の装置固有の条件を記憶した道路表示条件記憶手段と、道路表示を装置固有条件に従い行う装置固有モードと、道路表示を地図データ中で定義された道路表示条件に従い行うノーマルモードとに切り換え操作をする道路表示モード切り換え操作手段と、を備え、地図表示制御手段は、地図データ中の道路の画像を描画する際、道路表示モードがノーマルモードに切り換えられたときは、地図データ中で定義された道路種別の道路表示条件に従い描画し、道路表示モードが装置固有モードに切り換えられたときは、道路表示条件記憶手段に記憶された道路種別毎の道路表示条件に従い描画するようにしたこと、を特徴としている。
請求項１０において、地図画像の縮尺の切り換え操作をする縮尺切り換え操作手段を備え、道路表示条件記憶手段に記憶された装置固有の道路表示条件は、道路種別かつ縮尺別の道路を表示する線幅または色とし、地図表示制御手段は、装置固有モード下で地図データ中の道路の画像を描画する際、道路表示条件記憶手段に記憶された内、現在の縮尺に対応する道路表示条件に従い描画するようにしても良い。また、道路表示条件記憶手段に記憶された装置固有の道路表示条件は、道路種別かつ時間帯別の道路を表示する線幅または色とし、地図表示制御手段は、装置固有モード下で地図データ中の道路の画像を描画する際、道路表示条件記憶手段に記憶された内、現在の時間帯に対応する道路表示条件に従い描画するようにしても良い。
また、請求項１０〜１２において、道路表示条件記憶手段には道路種別毎に道路を表示する線幅と色の装置固有の道路表示条件を記憶させておくようにしても良い。
本発明の請求項１３では、現在位置を検出する現在位置検出手段と、地図画像を現在位置マークとともに表示する表示手段と、地図データを記憶可能な地図データ記憶手段と、現在位置近くの地図データをネットワーク経由で地図表示支援装置に要求し、該地図表示支援装置から送信された地図データを受信し、地図データ記憶手段に記憶させる地図データ取得手段と、地図データ記憶手段に記憶された地図データを用いて、現在位置を含む一定範囲の地図画像を現在位置マークとともに描画し、表示手段に表示させる地図表示制御手段と、を備えた地図表示装置において、ユーザが道路種別毎に、道路を表示する線幅または色の設定操作をする道路表示条件設定操作手段と、道路表示条件設定操作手段で設定された道路種別毎の道路を表示する線幅または色の条件を記憶する道路表示条件記憶手段と、を備え、地図表示制御手段は、地図データ中の道路の画像を描画する際、道路表示条件記憶手段に記憶された道路表示条件に従い描画するようにしたこと、を特徴としている。
請求項１３において、地図画像の縮尺の切り換え操作をする縮尺切り換え操作手段を備え、ユーザが設定可能な道路表示条件は道路種別かつ縮尺別の道路を表示する線幅または色とし、地図表示制御手段は、地図データ中の道路の画像を描画する際、道路表示条件記憶手段に記憶された内、現在の縮尺に対応する道路表示条件に従い描画するようにしても良い。また、ユーザが設定可能な道路表示条件は道路種別かつ時間帯別の道路を表示する線幅または色とし、地図表示制御手段は、地図データ中の道路の画像を描画する際、道路表示条件記憶手段に記憶された内、現在の時間帯に対応する道路表示条件に従い描画するようにしても良い。
また、請求項１３〜１５において、道路表示条件設定操作手段ではユーザが道路種別毎に、道路を表示する線幅と色の設定操作をし、該設定された道路種別毎の道路を表示する線幅と色の道路表示条件が道路表示条件記憶手段に記憶されるようにしても良い。
本発明の請求項１６では、ユーザが道路種別毎に、道路を表示する線幅または色の設定操作をする道路表示条件設定操作手段と、道路表示条件設定操作手段で設定された道路種別毎の道路を表示する線幅または色の条件を記憶する道路表示条件記憶手段と、道路表示をユーザ設定条件に従い行うマニュアルモードと、道路表示を地図データ中で定義された道路表示条件に従い行うノーマルモードとに切り換え操作をする道路表示モード切り換え操作手段と、を備え、地図表示制御手段は、地図データ中の道路の画像を描画する際、道路表示モードがノーマルモードに切り換えられたときは、地図データ中で定義された道路種別毎の道路表示条件に従い描画し、道路表示モードがマニュアルモードに切り換えられたときは、道路表示条件記憶手段に記憶された道路種別毎の道路表示条件に従い描画するようにしたこと、を特徴としている。
請求項１６において、地図画像の縮尺の切り換え操作をする縮尺切り換え操作手段を備え、ユーザが設定できる道路表示条件は道路種別かつ縮尺別の道路を表示する線幅または色とし、地図表示制御手段は、道路表示モードがマニュアルモード下で地図データ中の道路の画像を描画する際、道路表示条件記憶手段に記憶された内、現在の縮尺に対応する道路表示条件に従い描画するようにしても良い。また、ユーザが設定できる道路表示条件は道路種別かつ時間帯別の道路を表示する線幅または色とし、地図表示制御手段は、道路表示モードがマニュアルモード下で地図データ中の道路の画像を描画する際、道路表示条件記憶手段に記憶された内、現在の時間帯に対応する条件に従い描画するようにしても良い。
また、請求項１６〜１８において、道路表示条件設定操作手段ではユーザが道路種別毎に、道路を表示する線幅と色の設定操作をし、該設定された道路種別の道路を表示する線幅と色の道路表示条件が道路表示条件記憶手段に記憶されるようにしても良い。
本発明の請求項１９では、現在位置を検出する現在位置検出手段と、地図画像を現在位置マークとともに表示する表示手段と、地図データを記憶可能な地図データ記憶手段と、現在位置近くの地図データをネットワーク経由で地図表示支援装置に要求し、該地図表示支援装置から送信された地図データを受信し、地図データ記憶手段に記憶させる地図データ取得手段と、地図データ記憶手段に記憶された地図データを用いて、現在位置を含む一定範囲の地図画像を現在位置マークとともに描画し、表示手段に表示させる地図表示制御手段と、を備えた地図表示装置において、道路種別毎に道路を表示する線幅または色の装置固有の道路表示条件を記憶した道路表示条件記憶手段を備え、地図表示制御手段は、地図データ中の道路の画像を描画する際、道路表示条件記憶手段に記憶された道路表示条件に従い描画するようにしたこと、を特徴としている。
請求項１９において、地図画像の縮尺の切り換え操作をする縮尺切り換え操作段を備え、道路表示条件記憶手段に記憶された装置固有の道路表示条件は、道路種別かつ縮尺別の道路を表示する線幅または色とし、地図表示制御手段は、地図データ中の道路の画像を描画する際、道路表示条件記憶手段に記憶された内、現在の縮尺に対応する道路表示条件に従い描画するようにしても良い。また、道路表示条件記憶手段に記憶された装置固有の道路表示条件は、道路種別かつ時間帯別の道路を表示する線幅または色とし、地図表示制御手段は、地図データ中の道路の画像を描画する際、道路表示条件記憶手段に記憶された内、現在の時間帯に対応する条件に従い描画するようにしても良い。
また、請求項１９〜２１において、道路表示条件記憶手段には道路種別毎に道路を表示する線幅と色の装置固有の道路表示条件を記憶させておくようにしても良い。
本発明の請求項２２では、道路種別毎に道路を表示する線幅または色の装置固有の道路表示条件を記憶した道路表示条件記憶手段と、道路表示を装置固有条件に従い行う装置固有モードと、道路表示を地図データ中で定義された道路表示条件に従い行うノーマルモードとに切り換え操作をする道路表示モード切り換え操作手段と、を備え、地図表示制御手段は、地図データ中の道路の画像を描画する際、道路表示モードがノーマルモードに切り換えられたときは、地図データ中で定義された道路種別毎の道路表示条件に従い描画し、道路表示モードが装置固有モードに切り換えられたときは、道路表示条件記憶手段に記憶された道路種別毎の道路表示条件に従い描画するようにしたこと、を特徴としている。
請求項２２において、地図画像の縮尺の切り換え操作をする縮尺切り換え操作手段を備え、道路表示条件記憶手段に記憶された装置固有の道路表示条件は、道路種別かつ縮尺別の道路を表示する線幅または色とし、地図表示制御手段は、道路表示モードがマニュアルモード下で地図データ中の道路の画像を描画する際、道路表示条件記憶手段に記憶された内、現在の縮尺に対応する道路表示条件に従い描画するようにしても良い。また、道路表示条件記憶手段に記憶された装置固有の道路表示条件は、道路種別かつ時間帯別の道路を表示する線幅または色とし、地図表示制御手段は、道路表示モードがマニュアルモード下で地図データ中の道路の画像を描画する際、道路表示条件記憶手段に記憶された内、現在の時間帯に対応する道路表示条件に従い描画するようにしても良い。
また、請求項２２〜２４において、道路表示条件記憶手段には道路種別毎に道路を表示する線幅と色の装置固有の道路表示条件を記憶させておくようにしても良い。
【手続補正３】
【補正対象書類名】明細書
【補正対象項目名】００１１
【補正方法】変更
【補正の内容】
【００１１】
１６は地図表示制御部であり、現在位置を中心とした所望縮尺の一定範囲の地図画像を現在位置マークとともに描画し、表示部３に画面表示させる。地図表示制御部１６の内、１７は画像メモリ部であり、表示部３の１画面分の画像記憶領域を有し、地図画像の上に現在位置マークを重ねた画像を記憶する。１８は描画部であり、ＧＰＳ受信部２から入力した現在位置データと現在方位データに基づき、バッファメモリ部１４に記憶された現在位置周辺で所望縮尺の地図データを用いて画像メモリ部１７に現在位置を中心とし、北を上向きとした所望縮尺の地図画像を描画し、かつ、地図画像の真ん中に現在方位に相当する方向を向けた現在位置マークを重ねて描画する。但し、描画部１８は地図画像中の道路を描画する際、操作部７で道路表示モードがノーマルモードに切り換えられているとき、地図データで定義された道路種別の道路の線幅と色の条件に従い描画する。操作部７で道路表示モードがマニュアルモードに切り換えられているとき、地図データで定義された道路種別の道路の線幅と色を、第１道路表示条件記憶部９に記憶された条件に変えて描画し、操作部７で道路表示モードが装置固有モードに切り換えられているとき、地図データで定義された道路種別の道路の線幅と色を、第２道路表示条件記憶部１０に記憶された条件に変えて描画する。１９は映像変換部であり、画像メモリ部１７に記憶された画像を映像信号に変換して表示部３へ出力し、画面表示させる。